(57)【特許請求の範囲】
【請求項１】
使用者の手首に着用するためのバンドと、
前記バンドに結合するディスプレイを備え、
前記ディスプレイは曲がった状態または折れた状態で前記バンドに収納される第１の状態と、前記バンドに対し展開されて平たい状態にある第２の状態の間で切替え可能であり、
前記ディスプレイは曲げることができるフレキシブルディスプレイであり、前記第１の状態と第２の状態の間の切替えは前記フレキシブルディスプレイが持っているそれ自体の弾性によるものであり、
前記バンドには溝形態のディスプレイ安着部が形成されており、
前記ディスプレイは固定手段によって前記バンドの曲率と同一の曲率で曲がった状態で前記ディスプレイ安着部に挿入固定されて前記第１の状態を維持することを特徴とする腕時計型スマート端末機。
【請求項２】
使用者の手首に着用するためのバンドと、
前記バンドに結合するディスプレイを備え、
前記ディスプレイは曲がった状態または折れた状態で前記バンドに収納される第１の状態と、前記バンドに対し展開されて平たい状態にある第２の状態の間で切替え可能であり、
上記ディスプレイはその前面に一以上の弾性ヒンジが具備されていて所定角度で折れ曲がった状態で前記バンドに収納され、前記第１の状態と第２の状態の間での切替えは上記ヒンジの弾性によるものであり、
前記バンドには溝形態のディスプレイ安着部が形成されて、
前記ディスプレイは固定手段によって前記分割されたディスプレイが互いに所定角度で折れた状態でディスプレイ安着部に挿入固定され前記第１の状態を維持することを特徴とする腕時計型スマート端末機。
【請求項３】
請求項１または２記載の腕時計型スマート端末機において、
前記固定手段は、前記ディスプレイ安着部の両側端に内側に突出するディスプレイ固定係止突起と、前記ディスプレイの両側端に形成され前記ディスプレイ固定係止突起が挿入される係止溝、及び前記ディスプレイの係止溝に挿入されたディスプレイ固定係止突起を脱漏させるディスプレイオンロックボタン、を含む腕時計型スマート端末機。
【請求項４】
請求項１または２記載の腕時計型スマート端末機において、
前記バンドの外面に長手方向に沿って形成され、前記ディスプレイのスライディング移動を案内するガイド部と、
上部は前記ディスプレイの下面と結束されて、下部は前記ガイド部の内部に設置されたベースに結束されるディスプレイ保持具をさらに含み、
前記第２の状態で前記ディスプレイは前記ガイド部に沿って移動することができることを特徴とする腕時計型スマート端末機。
【請求項５】
請求項４記載の腕時計型スマート端末機において、
前記ディスプレイ保持具は前記ベースに対し回転可能に結束され、それによって前記第２の状態で前記ディスプレイは前記バンドに対し任意の角度とすることができることを特徴とする腕時計型スマート端末機。
【請求項６】
請求項５記載の腕時計型スマート端末機において、
前記ディスプレイ保持具は、
円筒型であって、下部は前記ベースに結束され、上面にホールが供えられた第１のホルダと、上段は前記ディスプレイと結束され、前記第１のホルダ内部に挿入されて前記第１のホルダの上部に形成されたホールを介して昇降する第２のホルダと、前記第２のホルダ下部に位置しつつ、第１のホルダに支持されて前記第２のホルダを弾力支持するスプリングを含み、それによって、前記ディスプレイが前記第１の状態から第２の状態に切り替えられるとき、前記スプリングの弾力によって前記第２のホルダが前記第１のホルダから上昇しながら前記ディスプレイが前記バンドに対し上方に突出することを特徴とする腕時計型スマート端末機。
【請求項７】
請求項６記載の腕時計型スマート端末機において、
前記第２のホルダの外面には固定係止台が所定間隔ごと放射状に突出形成されている一方、前記バンドのガイド部内面には所定間隔で挿入溝が連続形成されており、それによって前記第２のホルダが上昇するとき前記ガイド部内面の挿入溝に前記第２のホルダの固定係止台が挿入されて前記第２のホルダ上段に結束され前記ディスプレイの運動が拘束されて、逆に前記第２のホルダが下降するとき前記第２のホルダの固定係止台が前記ガイド部 内面の挿入溝から脱漏されることで前記ディスプレイの運動拘束が解除されて前記ディスプレイが前記ガイド部に沿ってスライディング移動したり、回転できるように構成されていることを特徴とする腕時計型スマート端末機。
【請求項８】
請求項６記載の腕時計型スマート端末機において、
前記スプリングの下段は前記第１のホルダまたは前記ベースに結束される一方、前記スプリングの上段は前記第２のホルダに結束されていて前記第２のホルダが上昇するとき前記スプリングのトーションによって前記第２のホルダが所定角度で回転しながら上昇するようになっており、それによって前記第２のホルダの上段に結束された前記ディスプレイも同時に前記の角度で回転することを特徴とする腕時計型スマート端末機。
【請求項９】
請求項８記載の腕時計型スマート端末機において、
前記第２のホルダの下段外周縁に装着されたディスクとして、その上面に上向きに突出して第２のストッパーが形成された第２のディスクが備えられており、
前記第１のホルダの上段カバー内側縁に装着されたディスクとして、その下面に下向きに突出した第１のストッパーが形成された第１のディスクが備えられており、
前記第２のホルダが上昇するとき前記スプリングのトーションによって前記第２のホルダが回転しながら上昇するとき前記第１のディスクの第１のストッパーと前記第２のディスクの第２のストッパーのスライディング回転動作による締結が生じ、前記ディスプレイの回転運動が目標とした角変位で拘束されるように構成した腕時計型スマート端末機。
【請求項１０】
請求項８記載の腕時計型スマート端末機において、
前記ベースまたはディスプレイ保持具への引張力作用手段の一側を締結し、前記引張力作用手段の他側は前記ガイド部内部のいずれか一側端に固定することで前記第２のホルダが上昇するとき前記ディスプレイ保持具が前記ガイド部に沿ってスライディング移動するように構成した腕時計型スマート端末機。
【請求項１１】
請求項１または２記載の腕時計型スマート端末機において、
前記バンドにはロード収納部が具備されており、
前記ロード収納部に収納することができるロードの端部にはイヤースピーカーが具備されており、
前記ロードはテレスコープ方式で長さ調節が可能な多段のロードで形成されていて、前記ロードが前記ロード収納部から引き出されることで前記イヤースピーカーを使用者の耳の付近に位置させることができるようにした腕時計型スマート端末機。
【請求項１２】
使用者の手首に着用するためのバンドとして、溝型のディスプレイ安着部が形成されたバンド、
前記バンドに結合されるディスプレイ、
前記バンドの上面に長手方向に沿って形成され、前記ディスプレイのスライディング移動を案内するガイド部、及び
上部は前記ディスプレイの下面と結束され、下部は前記ガイド部の内部に設置されたベースに結束されるディスプレイ保持具、
を備え、
前記ディスプレイは、曲がった状態または折れた状態で固定手段によって前記バンドの溝内に収納される第１の状態と、前記バンドに対し展開されて平たい状態で前記ガイド部に沿ってスライディング移動できる第２の状態の間で切替え可能であることを特徴とする腕時計型スマート端末機。
【請求項１３】
請求項１２記載の腕時計型スマート端末機において、
前記ディスプレイ保持具は前記ベースに対し回転可能に結束されており、それによって前記第２の状態から前記ディスプレイは前記バンドに対し任意の角度にできるようになっていることを特徴とする腕時計型スマート端末機。
【請求項１４】
請求項１２記載の腕時計型スマート端末機において、
前記固定手段は、前記ディスプレイ安着部の両側端に内側に突出したディスプレイ固定係止突起と、前記ディスプレイの両側端に形成され前記ディスプレイ固定係止突起が挿入される係止溝、および前記ディスプレイの係止溝に挿入されたディスプレイ固定係止突起を脱漏させるディスプレイオンロックボタン、を含む腕時計型スマート端末機。
【請求項１５】
請求項１２記載の腕時計型スマート端末機において、
前記ディスプレイは曲げることができるフレキシブルディスプレイであって、前記フレキシブルディスプレイは前記固定手段によって前記バンドの曲率と同一の曲率に曲げた状態で前記ディスプレイ安着部に挿入固定され、前記第１の状態を維持し、前記固定手段が解除されるとき前記第１の状態と第２の状態の間の切替えは前記フレキシブルディスプレイが持っているそれ自体の弾性によるものであることを特徴とする腕時計型スマート端末機。
【請求項１６】
請求項１２記載の腕時計型スマート端末機において、
前記ディスプレイはその前面に一以上の弾性ヒンジが具備され、所定角度に折り曲げた状態で前記固定手段によって前記ディスプレイ安着部に挿入固定され、前記第１の状態を維持し、前記固定手段が解除されるとき前記第１の状態から前記第２の状態との間の切替えは前記ヒンジの弾性によるものであることを特徴とする腕時計型スマート端末機。
【発明の詳細な説明】
【技術分野】
【０００１】
本発明は腕時計のように手首に着用して使用できるスマート端末機に関するものであって、特に、既存のスマートフォンに従属されず、独立的にスマートフォンの全ての機能を手軽に使用できる腕時計型スマート端末機に関するものである。
【背景技術】
【０００２】
代表的なスマート端末機としてスマートフォンが広く使用されている。
【０００３】
スマートフォンは、メッセージの送受信、音声及び映像通話、音楽や映画鑑賞及び各種データ通信ができる代表的なスマート端末機であり、近年はより大きな液晶ディスプレイが選好されている。
【０００４】
このような大きなスマートフォンをポケットに入れると運びづらく、手に持ったり、かばんに入れて運ぶため、携帯が非常に不便で紛失の危険が非常に大きく、使用中に落として破損する問題点がある。
【０００５】
また、スマートフォンをポケットやかばんに入れて携帯すると電話やメッセージがきてもこれを認知することが非常に難しいという問題点がある。
【０００６】
このような問題を解決するために、手首に着用して時間を教えながら、かばんやポケットの中のスマートフォンとブルートゥース(登録商標)でつながり、電話がきたり、メッセージまたは電子メールが受信されると、これを使用者に知らせるスマートウォッチが開発されて市販されている。
【０００７】
しかし、前記スマートウォッチは手首に着用する機器であって、液晶ディスプレイの大きさが限られるので、時間の表示、スマートフォンの電話またはメッセージの受信可否のみを表示でき、情報検索、ＤＭＢ視聴や映画鑑賞などの機能を持たせられないという問題点がある。
【０００８】
また、スマートウォッチは、機能的にスマートフォンに従属するため、スマートウォッチを手首に着用しても、常にスマートフォンを別途携帯しなければならない問題点がある。
【発明の概要】
【発明が解決しようとする課題】
【０００９】
本発明は、前記の問題点を解決するために案出されたものであって、ポケットやかばんに入れて携帯する必要がなく、手首に着用して手軽に携帯できながらも広いディスプレイだけではなく、スマート端末機の送受話部が手首バンド内の限られた空間で収納保管されても人体構造的に通話姿勢が便利で、且つ通話時自然に維持されるように利用され、人体機関である手首、耳、そして口を物理的に最適化されるように繋ぐインターフェース装置を案出することによって、独立した別個のスマート端末機としての全ての機能が具現される腕時計型スマート端末機を提供することに目的がある。
【課題を解決するための手段】
【００１０】
前記の目的を達成するために本発明による腕時計型スマート端末機の一実施例は、データを入力したり表示するタッチスクリーンであるディスプレイ１１０と、使用者の手首に着用されて前記ディスプレイ１１０を使用者の手首に固定させるバンド１２０と、前記バンド１２０の外面に縦方向に形成され、ディスプレイ１１０のスライディング移動を案内するガイド部１２３と、上部は前記ディスプレイ１１０の下面と結束されて、下部は前記バンド１２０のガイド部１２３内部に挿入されたベース１３１に結束してディスプレイ１１０をバンド１２０のガイド部１２３に沿って上の手首の表から下の手首の裏までスライディングで往復旋回するディスプレイ保持具１３０と、から構成される。
【００１１】
そして、本発明による腕時計型スマート端末機の他の実施例は、データを入力したり表示するタッチスクリーンであるディスプレイ１１０と、使用者の手首に着用され、前記ディスプレイ１１０を使用者の手首に固定させるバンド１２０と、上部は前記ディスプレイ１１０の下面と結束され、下部は前記バンド１２０内部のベース１３１に結束してディスプレイ１１０を支持するディスプレイ保持具１３０と、を含み、前記バンド１２０には、溝の型でディスプレイ安着部１２１が形成され、前記ディスプレイ１１０は、フレキシブルディスプレイであって、固定手段を介してディスプレイ１１０がバンド１２０の曲率と同じ曲率で曲がった状態で前記ディスプレイ安着部１２１に挿入固定されるように構成して、ディスプレイ１１０をディスプレイ安着部１２１に挿入して固定したときに、ディスプレイ１１０がバンド１２０の表面に突出しないように構成される。
【００１２】
そして、本発明による腕時計型スマート端末機のまた他の実施例として、データを入力したり、表示するタッチスクリーンであるディスプレイ１１０と、使用者の手首に着用され、前記ディスプレイ１１０を使用者の手首に固定させるバンド１２０と、上部は前記ディスプレイ１１０の下面と結束され、下部は前記バンド１２０内部のベース１３１に結束してディスプレイ１１０を支持するディスプレイ保持具１３０と、を含み、前記バンド１２０には、溝型でディスプレイ安着部１２１が形成され、前記ディスプレイ１１０はフレキシブルディスプレイであって、底面に一つ以上の弾性ヒンジ１１２を備えて前記弾性ヒンジ１１２を中心に曲がることができることで、前記ディスプレイ１１０は、所定角度で折れた状態で前記ディスプレイ安着部１２１に挿入固定されるように構成することができる。弾性ヒンジ１１２が回動することによって、上面のフレキシブルディスプレイ１１０は緩やかな曲面を成して曲がる。
【００１３】
この時、前記固定手段はディスプレイ安着部１２１の両側端に、内部へ突出されたディスプレイ固定係止突起１２２を形成し、ディスプレイ１１０の両側端に前記ディスプレイ固定係止突起１２２が挿入される係止溝１１１を形成して、ディスプレイ１１０がディスプレイ安着部１２１に挿入された時、前記のディスプレイ固定係止突起１２２が、ディスプレイ１１０の係止溝１１１と締結してディスプレイが固定され、ディスプレイを展開するために前記ディスプレイ１１０の係止溝１１１と締結されたディスプレイ固定係止突起１２２を脱漏させるディスプレイアンロックボタン１２５で構成される。
【００１４】
また、前記ディスプレイ保持具１３０は円筒型であって、下部は前記ベース１３１に結束され、上面に第２のホルダ１３５が昇降するホールが備えられた第１のホルダ１３２と、上段はディスプレイ１１０と結束され、前記第１のホルダ１３２内部に挿入されて、前記第１のホルダ１３２の上面に形成されたホールを介して昇降する第２のホルダ１３５と、前記第２のホルダ１３５下部に位置しつつ、第１のホルダ１３２に支持されて第２のホルダ１３５を弾力支持するスプリング１３９及び前記第２のホルダ１３５の外面に所定の間隔毎に放射状で突出形成された固定係止台１３８と、から構成されることによって、第２のホルダ１３５が上昇した時、バンド１２０のガイド部１２３内面に所定の間隔で連続形成された挿入溝１２７に前記第２のホルダ１３５の固定係止台１３８が挿入されて第２のホルダ１３５の上段と結束されたディスプレイ１１０の運動を拘束し、第２のホルダ１３５の下降で第２のホルダ１３５の固定係止台１３８がバンド１２０のガイド部１２３の左右両側の内面に所定の間隔で連続形成された挿入溝１２７から脱漏するメカニズムによって第２のホルダと結束されたディスプレイ１１０の作動停止状態が解消され、ディスプレイ１１０は前記ガイド部１２３の案内でスライディング移動したり、回転できるように構成される。
【００１５】
また、前記第２のホルダ１３５の下段外周縁に装着されたディスク上面には、放射状で所定の間隔毎に上向きに突出した第２の歯車１３７が備えられた第２のディスク１３６が形成され、締結の相手である前記第１のホルダ１３２の上段カバー（上段蓋）内周縁に装着されたディスク下面には、放射状に沿って所定の間隔毎に下向きに突出した第１の歯車１３４が備えられた第１のディスク１３３が形成されることによって、第２のホルダ１３５が上昇した時、前記第１のディスク１３３と第２のディスク１３６が締結されて相互干渉動作で第２のホルダ１３５と連結されたディスプレイ１１０の回転運動をコントロール拘束し、逆に第２のホルダ１３５が下降した時、前記第１のディスク１３３と第２のディスク１３６が分離されることにより、第２のホルダ１３５と結束されたディスプレイ１１０が回転運動できるように構成される。
【００１６】
また、前記バンド１２０には、ロード収納部１２６が形成され、端部にイヤースピーカー１２９が備えられ、互いに内径が異なる多段のロードで形成されて一方の一側のロードは隣接した相手先他側ロードの内部に挿入されて長さの調節が可能なロード１２８で形成され、前記ロード１２８がロード収納部１２６に収納されることにより、通話時にはロード１２８を引き出してイヤースピーカー１２９を人体の耳と対向なる位置で動作させて受話されるように構成する。
【００１７】
他の実施例として、前記バンド１２０の内部に自動巻き取り機のような構成により、端部にイヤースピーカーと連結されたイヤホンコードを巻き取ってバンド１２０の内部に収納していたが、通話時にはイヤースピーカーを引き出して耳に着用すると、バンド１２０の内部に巻かれたイヤホンコードが解けるように構成され、通話が終了してイヤースピーカーを耳から着脱すると、自動的にイヤホンコードがバンド１２０の内部に再び巻き取られるように構成することができる。
【００１８】
また、前記第２のホルダ１３５下部に位置したスプリング１３９の下段は、第１のホルダ１３２またはベース１３１に結束され、スプリング１３９の上段は、第２のホルダ１３５に結束されることにより、第２のホルダ１３５が上昇する時、スプリング１３９のトーション作用によって、第２のホルダ１３５が所定の角度で回転しつつ上昇するため、第２のホルダ１３５と結束したディスプレイ１１０もやはり前記の角度で回転されるように構成することができる。
【００１９】
また、前記第２のホルダ１３５下段外周縁に装着されたディスク上面に上向きに突出した第２のストッパー１４１が備えられた第２のディスク１３６が形成され、締結の相手である前記第１のホルダ１３２の上段カバー（上段蓋）内周縁に装着されたディスク下面に下向きに突出した第１のストッパー１４０が備えられた第１のディスク１３３が形成され、第２のホルダ１３５が上昇する時、スプリング１３９のトーションによって第２のホルダ１３５が回転しつつ上昇するため、第１のディスク１３３の第１のストッパー１４０と第２のディスク１３６の第２のストッパー１４１は、互いにスライディング回転しつつ締結されて、これによる相互干渉動作で所定の角変位範囲内でディスプレイ１１０の回転動作は停止されるメカニズムで行われる。
【００２０】
この時、前記ベース１３１又はディスプレイ保持具１３０に引張力作用手段の一側を締結し、前記引張力作用手段の他側はスライディング溝１２３の両側端中ある一側に固定させることにより、第２のホルダ１３５が上昇する時、ディスプレイ保持具１３０はガイド部１２３に沿って自動的にスライディング移動されるように構成することができる。
【発明の効果】
【００２１】
前記のように構成された本発明による腕時計型スマート端末機は人体の手首に着用して手軽に携帯でき、単独でスマートフォンの全ての機能を使用できるだけでなく、通話時にも既存のスマート端末機を手に握って通話する姿勢より人体工学上はるかに便利な状態で通話が行われる。
【００２２】
また、既存のスマート端末機のように広いディスプレイ画面に多量の情報を表示することができ、映画やＤＭＢ視聴ができるだけでなく、手首に着用した状態でディスプレイ画面を手首バンドに収納することで、携帯と使用が非常に簡便である。
【図面の簡単な説明】
【００２３】
【図１】本発明の一実施例による腕時計型スマート端末機を手首に着用した状態を表した図である。
【図２】本発明の一実施例による腕時計型スマート端末機が展開された状態を表した図である。
【図３】本発明の他の実施例による腕時計型スマート端末機を表した図である。
【図４】ディスプレイとバンドの結合構造を表した断面図である。
【図５】ディスプレイがバンドに収納された状態を表した断面図である。
【図６】ディスプレイがバンドに収納された状態におけるディスプレイ保持具を表した部分断面斜視図である。
【図７】ディスプレイが展開された状態を表した断面図である。
【図８】ディスプレイが展開された状態におけるディスプレイ保持具を表した部分断面斜視図である。
【図９】ディスプレイがバンドに沿ってスライディング移動する状態を表した図である。
【図１０】ディスプレイがバンドで回転する状態を表した図である。
【図１１】本発明の腕時計型スマート端末機からイヤースピーカーが引き出された状態を表した図である。
【図１２】本発明の腕時計型スマート端末機を着用した状態でイヤースピーカーを用いて通話する姿を表した使用状態図である。
【図１３】ディスプレイがバンドに収納された状態における他の実施例によるディスプレイ保持具を表した部分断面斜視図である。
【図１４】ディスプレイが展開された状態における他の実施例によるディスプレイ保持具を表した部分断面斜視図である。
【図１５】他の実施例によるディスプレイ保持具によって、ディスプレイが広がった時、ディスプレイが移動する状態を表した図である。
【図１６】他の実施例によるディスプレイ保持具によって、ディスプレイが広がった時、ディスプレイが移動する状態を表した図である。
【図１７】本発明の腕時計型スマート端末機のディスプレイ部に一体で備えられたマイクとイヤースピーカーを用いて通話する姿を表した図である。
【図１８】本発明の腕時計型スマート端末機のディスプレイ部に内蔵されたカメラを用いて撮影する姿を表した図である。
【発明を実施するための形態】
【００２４】
以下、本発明の望ましい実施例及び添付する図面を参照して本発明を詳しく説明するが、図面の同一参照符号は同一構成要素を示すことを前提とする。
【００２５】
発明の詳細な説明又は特許請求の範囲において、いずれか一つの構成要素が他の構成要素を「含む」という時、これは特に反対する記載がない限り、当該構成要素のみからなるものと限って解釈されず、他の構成要素をさらに含むことができるものであると理解すべきである。
【００２６】
以下では、腕時計型スマート端末機が具現された一例を特定の実施例を通じて説明することとする。
【００２７】
図１及び図２に示した通り、本発明による腕時計型スマート端末機は情報を表示し、且つデータを入力するためのディスプレイ１１０と、前記ディスプレイ１１０を手首に着用するためのバンド１２０と、から構成される。
【００２８】
前記バンド１２０は、時計バンドのように使用者の手首に簡単に着用したり、外したりする締結手段を備え、バンド分離ボタン１２４を押してバンド１２０の締結が解除できるように構成する。
【００２９】
後述の「ディスプレイ１１０」は、スクリーン上に現れた文字や特定位置に人の手が当たると、その位置を把握して格納されたソフトウェアによって特定処理ができるタッチスクリーン機能が備えられたものであると理解すべきである。
【００３０】
図１は、本発明の一実施例による腕時計型スマート端末機を使用者の手首に着用した状態を表した図である。
図１のようにスマート端末機１００を使用しない時は、ディスプレイ１１０が曲がってバンド１２０に収納されるが、スマート端末機１００を使用する際は、図２のようにバンド１２０に収納されたディスプレイ１１０が一定に上昇し、展開された状態でスマート端末機１００が使用されるように構成される。
【００３１】
近年は曲がるフレキシブルディスプレイ（Ｆｌｅｘｉｂｌｅ  ｄｉｓｐｌａｙｅｒ）が開発されて使われているが、本発明の一実施例に使われるディスプレイ１１０はこのようなフレキシブルディスプレイである。
【００３２】
使用者が図２に示したバンド１２０のディスプレイオンロックボタン１２５を押すと、バンド１２０の溝型で形成されたディスプレイ安着部１２１からディスプレイ１１０が一定に自動上昇し、同時に図２のようにディスプレイ１１０が広がって展開される。つまり手首に曲がって携帯着用され、使用時は展開されるように構成される。
【００３３】
図２のように、前記ディスプレイ１１０の両側端には溝型で係止溝１１１が形成され、前記ディスプレイ１１０が収納されるバンド１２０のディスプレイ安着部１２１の両側端にはディスプレイ固定係止突起１２２が形成されることによって、ディスプレイ１１０がバンド１２０のディスプレイ安着部１２１に挿入された状態では前記ディスプレイ固定係止突起１２２が、ディスプレイ１１０の係止溝１１１と締結してディスプレイ１１０が曲がった状態でディスプレイ安着部１２１に挿入、固定されるようにする。
【００３４】
この状態で使用者がディスプレイオンロックボタン１２５を押すと、前記ディスプレイ固定係止突起１２２がディスプレイ１１０の係止溝１１１から脱漏されて自体弾性でディスプレイ１１０がバンド１２０から自動的に一定に上昇して広がって展開される。
【００３５】
スマート端末機１００の使用が終わったら、使用者がディスプレイ１１０の両側端を加圧すると、ディスプレイ１１０が曲がってバンド１２０のディスプレイ安着部１２１に挿入され、ディスプレイ１１０の両側端係止溝１１１とディスプレイ固定係止突起１２２が締結されて、ディスプレイ１１０はバンドに固定される。
【００３６】
ディスプレイオンロックボタン１２５を押すとディスプレイ固定係止突起１２２が係止溝１１１から脱漏される構成は、リンクまたはソレノイド方式で行われるが、このような技術は様々な形で公知なので、詳細な説明は省略する。
【００３７】
図３は、図１及び図２に示されたフレキシブルディスプレイの安着部１２１に固定された一実施例と比較される他の形態の図示である。
前記図面に示されたディスプレイはフレキシブルディスプレイであって、前記ディスプレイ１１０底面に一つ以上の弾性ヒンジ１１２を備えることで、所定の角度で曲がり、前記ディスプレイ安着部１２１に所定の角度で曲がったまま挿入、固定されるように構成する。
【００３８】
分割されたディスプレイ１１の両側端に位置したディスプレイ１１０には、図２と同様に係止溝１１１が形成され、ディスプレイ安着部１２１にディスプレイ固定係止突起１２２が形成され、ディスプレイ１１０をディスプレイ安着部１２１に挿入すると、ディスプレイ固定係止突起１２２と分割されたディスプレイ１１０の係止溝１１１が締結されて、ディスプレイは固定される。
【００３９】
使用者がディスプレイオンロックボタン１２５を押すと、ディスプレイ固定係止突起１２２がディスプレイ１１０の係止溝１１１から脱漏され、分割されたディスプレイ１１０を連結するヒンジ１１２の弾性によって折れたディスプレイ１１０が広がって展開される。前記弾性ヒンジ１１２は、公知の技術であるので詳細な説明は省略する。
【００４０】
本発明による腕時計型スマート端末機のディスプレイ１１０は、図９に示した通りバンド１２０に形成されたガイド部１２３に沿ってスライディング移動され、図１０に示した通りバンド１２０で回転（ｒｏｔａｔｉｏｎ）できるように構成される。
【００４１】
図１乃至図３に示した通りバンド１２０にはガイド部１２３が形成され、ディスプレイ１１０が広がって展開された状態でディスプレイ１１０は前記ガイド部１２３に沿って手首バンドを軸に上の手首の表から下の手首の裏までスライディング移動し、且つ往復旋回することができる。
【００４２】
図４に示した通りディスプレイ１１０は、ディスプレイ保持具１３０を介してバンド１２０と結束されるが、ガイド部１２３に沿って動作されるディスプレイ１１０の移動と回転は、前記ディスプレイ保持具１３０によって行われる。
【００４３】
前記ディスプレイ保持具１３０は、図５に示した通りバンド１２０のガイド部１２３に沿って移動する第１のホルダ１３２と、前記第１のホルダ１３２と締結して
ディスプレイ１１０の下面に結束される第２のホルダ１３５と、から構成される。
【００４４】
上述のように、前記第１のホルダ１３２はバンド１２０のガイド部１２３に沿って移動するが、安定的なスライディング移動のために図５のように幅の広いベース１３１上部に第１のホルダ１３２を形成して第１のホルダ１３２が安定的にスライディング移動するように構成することが好ましい。
【００４５】
前記ディスプレイ保持具１３０は、図６のように円筒型の第１のホルダ１３２内部に円筒型の第２のホルダ１３５が挿入される。
【００４６】
第１のホルダ１３２の下面はベース１３１に結束され、第１のホルダ１３２の上面には第２のホルダ１３５が挿入されて、昇降できるホール（未図示）が形成され、前記ホールには第２のホルダ１３５が挿入されて第１のホルダ１３２の内部から前記ホールを通じて昇降運動する。
【００４７】
そして、図５のように前記第２のホルダ１３５の下部にはスプリング１３９が挿入されて第１のホルダ１３２内部で第２のホルダ１３５を弾力支持する。
【００４８】
図６のように、第２のホルダ１３５の上部外面には放射状に固定係止台１３８が突出して形成されるが、前記固定係止台１３８によって、ディスプレイ１１０がバンド１２０に沿ってスライディング移動したり、又は回転中にディスプレイ１１０を固定させる役割をする。
【００４９】
図５及び図６のように、ディスプレイ１１０がバンド１２０のディスプレイ安着部１２１に挿入固定された状態では、ディスプレイ１１０下部と結束された第２のホルダ１３５は、スプリング１３９に弾力支持されて第１のホルダ１３２内部に挿入された状態である。
【００５０】
使用者がスマート端末機１００を使用するためにバンド１２０のディスプレイオンロックボタン１２５を押すと、ディスプレイ１１０を固定していた図２に示したディスプレイ固定係止突起１２２が、ディスプレイ１１０の係止溝１１１から脱漏されて、スプリング１３９の弾力により第２のホルダ１３５が第１のホルダ１３２から上昇して、図７のようにディスプレイ１１０が上向きに突出される。
【００５１】
この時、前記第２のホルダ１３５の外面に放射状に形成された固定係止台１３８の機能は、図７及び図８に示した通り第２のホルダ１３５が上昇すると第２のホルダ１３５の外部上面に放射状に形成された固定係止台１３８の中で、バンド１２０外面のガイド部１２３内の左右両側に所定間隔で連続形成された挿入溝１２７と対向される位置の固定係止台１３８が挿入溝１２７と締結され、第２のホルダ１３５と結束したディスプレイのガイド部１２３に沿って行われるスライディング移動と回転動作が使用者の意図に応じてコントロール及び拘束される。
【００５２】
この状態で使用者がディスプレイ１１０の中間部分を押すと、図５及び図６に示した通り第２のホルダ１３５が第１のホルダ１３２内部に挿入して、第２のホルダ１３５外面に放射状に形成された固定係止台１３８がバンド１２０内ガイド部１２３の両側面に形成された挿入溝１２７から下向に抜き出す。これによって、使用者がディスプレイ１１０を動かして図９のようにディスプレイ１１０をバンド１２０のガイド部１２３に沿ってスライディング移動させたり、図１０のようにディスプレイ１１０を回転自在にすることができる。
【００５３】
即ち、使用者は、図９及び図１０のようにスマート端末機のディスプレイ１１０を動かしてＤＭＢ及び映画を視聴しやすい位置に調整することができるし、且つ写真を撮りやすい位置にディスプレイ１１０の位置を調整することができる。
【００５４】
前記のように、使用者がディスプレイ１１０を押してディスプレイ保持具１３０の固定係止台１３８をガイド部１２３の挿入溝１２７から脱漏させて、ディスプレイ１１０の位置を調整した後、ディスプレイ１１０を放すと、第１のホルダ１３２内部で第２のホルダ１３５を弾力支持するスプリング１３９の弾力により第２のホルダ１３５が上昇して、第２のホルダ１３５外面に放射状に形成された固定係止台１３８の中でバンド１２０のガイド部１２３内の左右両側に形成された挿入溝１２７と対向される固定係止台１３８が挿入溝１２７に挿入されて第２のホルダと結束されたディスプレイ１１０は固定される。
【００５５】
上述のように、第２のホルダ１３５の外面に放射状に形成された固定係止台１３８によって、ディスプレイ１１０のスライディング移動及び回転運動を拘束するが、小型に製作される腕時計型スマート端末機の構造上、ディスプレイ１１０の回転運動を拘束するには前記固定係止台１３８がたやすく折れる恐れがあるので、ディスプレイ１１０の回転運動をさらに確実に拘束するために別途ディスプレイ１１０の回転運動コントロール手段を構成することが好ましい。
【００５６】
図６及び図８に示した通り、第２のホルダ１３５が昇降運動する空間である上部ホールが形成された第１のホルダ１３２の上段カバーの内周縁に装着されたディスク下面には放射状の形状に沿って所定の間隔毎に下向きに突出した第１の歯車１３４が備えられた第１のディスク１３３が形成され、相対される第２のホルダ１３５の下段外周縁に装着されたディスク上面には放射状で所定の間隔毎に上向きに突出した第２の歯車１３７が備えられた第２のディスク１３６が形成される。
【００５７】
使用者がディスプレイ１１０の位置を調整するために、ディスプレイ１１０を押すと、図５及び図６のように第２のホルダ１３５が下降して、固定係止台１３８がバンド１２０のガイド部１２３内部の左右両側に形成された挿入溝１２７から脱漏されて、第２のホルダ１３５の下部に形成された第２のディスク１３６が下向きに移動しながら、第１のホルダ１３２の第１のディスク１３３と分離される。
【００５８】
使用者がディスプレイ１１０の位置を調整した後、ディスプレイ１１０を放すと、図７及び図８に示した通り、第２のホルダ１３５がスプリング１３９の弾力によって上昇して、第２のホルダ１３５の固定係止台１３８がバンド１２０のガイド部１２３内部の左右両側に形成された固定係止台１３８と対向される挿入溝１２７に挿入され、これと連動して第２のホルダ１３５の下段外周縁に装着された第２のディスク１３６が上昇しながら、第１のホルダ１３２の上段カバーの内周縁に装着された第１のディスク１３３と締結される。
【００５９】
前記のように第１のディスク１３３と第２のディスク１３６が締結されると、第１のディスク１３３の下面に下向きに突出した第１の歯車１３４と第２のディスク１３６の上面に上向きに突出した第２の歯車１３７が互いに歯合されて第２のホルダ１３５と結束したディスプレイ１１０が任意に回転されないように拘束する。
【００６０】
前記のように、第１のホルダ１３２の第１のディスク１３３と第２のホルダ１３５の第２のディスク１３６の歯合によって、ディスプレイ１１０の回転動作がさらに確実にコントロールされる。
【００６１】
そして、腕時計型スマート端末機の代表的な例は、スマートフォンであるが手首に着用した状態で通話するには不便である。
【００６２】
このため、図１１に示したように腕時計型スマート端末機のバンド１２０にロード１２８が収納できるロード収納部１２６を形成する。
【００６３】
前記ロード収納部１２６にはロード１２８が収納されるが、前記ロード１２８はアンテナのように多段で形成され、直径が小さいロードが隣接する直径の大きいロード内部に挿入されるようにアンテナの形で構成されて長さを自由に調節することができ、端部にイヤースピーカー１２９が備えられる。
【００６４】
アンテナのようにロードが多段で形成されて隣接するロードに挿入したり、隣接するロードから引き出されることで、長さを自由に調節することができる技術は公知技術であって、これに対する詳細な説明は省略する。
【００６５】
通話しない時には、図１１のロード１２８をバンド１２０のロード収納部１２６に挿入し、通話する時には、図１１のようにバンド１２０のロード収納部１２６に挿入されたロード１２８を引き出して図１２のようにロード１２８端部に形成されたイヤースピーカー１２９を使用者の耳に位置させる。
【００６６】
通話する時には、一般のスマートフォンのようにディスプレイ１１０に形成されたマイクに音声が伝達されたり、図面には示していないが、図１２の使用者の口の位置に該当するバンド１２０下段の手首の裏部分に形成されたマイク（未図示）を介して音声が伝達されるようにして、前記の引き出されたロード１２８の端部に形成されたイヤースピーカー１２９が人体の耳の付近で動作させて相手の音声が使用者に伝達される。
【００６７】
上述したバンド１２０に形成されたマイクとロード１２８端部のイヤースピーカー１２７は、有線でディスプレイ１１０の内部回路と連結されたり、ブルートゥースのような無線通信を通じて、ディスプレイの内部回路と連結されることができる。
【００６８】
また、他の実施例として、前記バンド１２０の内部に自動巻き取り機のような構成で、端部に形成されたイヤースピーカーと連結されたイヤホンコードを巻き取ってバンド１２０内部に収納しておき、通話時にはイヤースピーカーを引き出して耳に着用すると、バンド１２０内部に巻かれたイヤホンコードが解けるように構成される。通話が終了してイヤースピーカーを耳から着脱すると、自動的にイヤホンコードがバンド１２０内部に再び巻き取られるように構成することができる。
【００６９】
このような自動巻き取り機の構成は公知技術であるので、これに対する詳細な説明は省略する。
【００７０】
以上では、腕時計型スマート端末機１００の使用のために、使用者がディスプレイオンロックボタン１２５を押してディスプレイ１１０を広げた後、楽な姿勢で使用できるように、使用者がディスプレイ１１０を握ってスライディング移動及び回転させて位置を調整するように構成したが、使用者がディスプレイオンロックボタン１２５を押した時ディスプレイ１１０が自動的に使用しやすい位置にスライディング移動及び回転するよう構成することもできる。
【００７１】
このため、図面には示していないが、図４においてベース１３１またはディスプレイ保持具１３０に引張力作用手段（未図示、引張ばね又はゴムひも）の一側を固定させ、前記引張力作用手段（未図示）の他側はガイド部１２３の両側端のうち、いずれか一側に固定させる。
【００７２】
図６と図１３の図示を比較および参照する。ディスプレイ保持具１３０構成を変更し、第１のホルダ１３２、第２のホルダ１３５、固定係止台１３８、第１のディスク１３３及び第２のディスク１３６の構成は、図５乃至図８に示したディスプレイ保持具１３０の構成と同様である。
【００７３】
図１３に示した通り、第１のホルダ１３２の第１のディスク１３３下面に第１のストッパー１４０を下向きに突出形成し、第２のホルダ１３５の第２のディスク１３６の上面に第２のストッパー１４１を上向きに突出形成し、図１４のように前記第２のホルダ１３５の下部にはスプリング１３９を装着する。
【００７４】
前記第１のディスク１３３の第１のストッパー１４０と第２のディスク１３６の第２のストッパー１４１は、第２のホルダ１３５の軸を中心に約４５°の角変位をもって離隔される。
【００７５】
ディスプレイ１１０がバンド１２０のディスプレイ安着部１２１に挿入された状態ではディスプレイ保持具１３０は、図１３の状態である。
【００７６】
この状態では、上述の引張力作用手段（未図示）によって、ディスプレイ保持具１３０に引張力が作用している状態である。
【００７７】
また、前記第２のホルダ１３５を弾力支持するスプリング１３９は、圧縮ばねとトーションばねの役割を同時に遂行するが、図１３のように第１のホルダ１３２の第１のディスク１３３と第２のホルダ１３５の第２のディスク１３６が分離された時には、スプリング１３９が圧縮された状態でありつつ、さらに、第１のディスク１３３の第１のストッパー１４０と第２のディスク１３６の第２のストッパー１４１が脱漏された状態ではスプリング１３９にトーション（Ｔｏｒｓｉｏｎ）が加えられた状態である。
【００７８】
使用者がディスプレイオンロックボタン１２５を押すと、ディスプレイ１１０を固定するディスプレイ安着部１２１のディスプレイ固定係止突起１２２の脱漏でディスプレイが自動的に展開されるとともに上述の引張力作用手段によって、ディスプレイ保持具１３０がガイド部１２３に沿ってスライディング移動する。
【００７９】
併せて、図１４のように、スプリング１３９の弾力によって第２のホルダ１３５が上向きに突出され、スプリング１３９に加えられたトーションが解除されて、スプリング１３９が第２のホルダ１３５を回転させ、図１４のように第１のディスク１３３の第１のストッパー１４０と第２のディスク１３６の第２のストッパー１４１がスライディング回転動作により締結されて、相互逆方向動作によって力の均衡がとれて第２のホルダ１３５の回転が止まる。
【００８０】
前記のような引張力作用手段によって、ディスプレイ保持具１３０の連鎖及び連続動作の実現でスライディング移動及びスプリング１３９のトーションによる第２のホルダ１３５の回転運動によって、図１５のようにディスプレイ１１０が手首の下向き（時計を見る手首の形で下向き）に約４５°の角変位にスライディング移動し、これと同時にその位置でディスプレイ保持具１３０を中心に反時計方向に約４５°回転する。
【００８１】
図１５のようなディスプレイ１１０位置は、手を机に乗せた状態でインターネットの検索や、映画及びＤＭＢの視聴が非常に楽にできる位置である。
【００８２】
また、図１５のようなディスプレイ１１０の位置は、図１８に示したようにスマート端末機１００を手首に着用した状態で手を斜めに持ち上げて、ディスプレイ１１０の背面に形成されたカメラで写真や動画撮影が簡単にできる。
【００８３】
この時、苦労して使用者の腕を直角に持ち上げることなく、４５°の角度で斜めに持ち上げてもディスプレイ１１０のカメラのレンズが前方に向けられるようにディスプレイ１１０のカメラのレンズを約４５°傾けて構成する方が好ましい。
【００８４】
また、ディスプレイ１１０が図１５の反対方向にスライディング移動するように構成することもできる。ディスプレイ１１０が引張力作用手段によって図１６のように手首の上向き（時計を見る手首の形で上向き）で約４５°の角変位にスライディング移動し、その位置でディスプレイ保持具１３０を中心に時計方向（ｃｗ）に約４５°回転する。
【００８５】
前記のような位置は、別途のマイクやイヤースピーカー無しでスマートフォンのように手首に着用したディスプレイ１１０自体に形成されたマイクとイヤースピーカーによって通話できる。
【００８６】
即ち、ディスプレイ１１０が図１６と同じ位置に移動した状態で使用者が手首を頬に密着させると、ディスプレイ１１０のイヤースピーカーは使用者の耳に位置し、ディスプレイ１１０のマイクは使用者の口の付近に位置するので簡単に通話することができる。
【００８７】
前記のように構成された本発明による腕時計型スマート端末機は、ポケットやかばんに入れて携帯する必要がなく、使用者の手首に着用して手軽に携帯できる上、スマートフォンに従属せずに、単独でスマートフォンの全ての機能を使用することができる。
【００８８】
また、広いディスプレイ画面に多量の情報を表示することができ、映画やＤＭＢ視聴ができるだけでなく、手首に着用した状態でディスプレイ画面を手首バンドに収納することで、携帯と使用が非常に簡便である。
【００８９】
以上の幾つかの実施例を通じて、本発明の技術的思想を調べた。
【００９０】
本発明の属する技術分野における通常の知識を有する者が、本発明の記載事項から実施例を多様に変形したり変更できることは自明である。また、たとえ明示的に示されたり、説明されていないとしても本発明が属する技術分野における通常の知識を有する者が本発明の記載事項から本発明による技術的思想を含む多様な形態の変形ができることは自明であって、これは依然として本発明の権利範囲に属する。
添付する図面を参照して説明された前記の実施例は本発明を説明するための目的で記述されたものであり、本発明の権利範囲はこれらの実施例に限られない。
【符号の説明】
【００９１】
１００  スマート端末機
１１０  ディスプレイ
１２０  バンド
１１１  係止溝
１２１  ディスプレイ安着部
１２２  ディスプレイ固定係止突起
１２３  ガイド部
１２４  バンド分離ボタン
１２５  ディスプレイオンロックボタン
１２６  ロード収納部
１２７  イヤースピーカー
１３０  ディスプレイ保持具
１３１  ベース
１３２  第１のホルダ
１３３  第１のディスク
１３４  第１の歯車
１３５  第２のホルダ
１３６  第２のディスク
１３７  第２の歯車
１３８  固定係止台
１３９  スプリング
１４０  第１のストッパー
１４１  第２のストッパー
【図１】
0006619357.tif 000002
【図２】
0006619357.tif 000003
【図３】
0006619357.tif 000004
【図４】
0006619357.tif 000005
【図５】
0006619357.tif 000006
【図６】
0006619357.tif 000007
【図７】
0006619357.tif 000008
【図８】
0006619357.tif 000009
【図９】
0006619357.tif 000010
【図１０】
0006619357.tif 000011
【図１１】
0006619357.tif 000012
【図１２】
0006619357.tif 000013
【図１３】
0006619357.tif 000014
【図１４】
0006619357.tif 000015
【図１５】
0006619357.tif 000016
【図１６】
0006619357.tif 000017
【図１７】
0006619357.tif 000018
【図１８】
0006619357.tif 000019